(57)【要約】【課題】  本発明は、演算周期より短い時間で発生する遮断器の開閉指令信号とその開閉状態信号の動作順序を、正しく印字記録させるようにした中央監視装置、及びその監視記録方法を提供することを目的とする。【解決手段】  受配電設備１の遮断器の開閉指令信号及びその開閉指令信号によって開閉される遮断器の開閉状態信号を入力する入力部２１と、開閉動作の状態を処理する演算処理部２２と、開閉動作の状態を記憶する記憶部２５手段と、開閉指令信号及び開閉状態信号を入力された順に時系列に印字させる記録部２３手段とを備え、開閉指令信号と開閉状態信号との時間間隔が、演算処理部２２の演算周期より短い時間内に発生する場合、開閉指令信号に対して開閉状態信号を演算周期以上、且つ、記録部２５に印字する印字記録周期以下に遅延させる遅延回路２１ａ１を備えたことを特徴とする中央監視装置２。【選択図】  図１
2006271030.tif 000002
【特許請求の範囲】
【請求項１】
受配電設備を監視する中央監視装置であって、
前記受配電設備の遮断器の開閉指令信号及びその開閉指令信号によって開閉される前記遮断器の開閉状態信号を入力する入力手段と、
前記入力手段に入力された前記開閉指令信号及び前記開閉状態信号を処理する演算処理手段と、
前記演算処理手段で処理された前記開閉指令信号及び前記開閉状態信号を記憶する記憶手段と、
前記記憶手段に記憶された前記開閉指令信号及び前記開閉状態信号を前記入力手段に入力された順に印字記録させる記録手段とを備え、
前記入力手段には、前記開閉指令信号と前記開閉状態信号との時間間隔が、前記演算処理手段の演算周期より短い時間内に発生する場合、前記開閉指令信号に対して前記開閉状態信号を前記演算周期以上、且つ、前記記録手段に印字する印字記録周期以下に遅延させる遅延手段を備えたことを特徴とする中央監視装置。
【請求項２】
受配電設備の遮断器の開閉指令信号及びその開閉状態信号を監視する中央監視装置における監視記録の方法であって、
前記開閉指令信号と前記開閉状態信号との時間間隔が、前記中央監視装置の演算周期より短い時間内に発生する場合、前記開閉指令信号に対して前記開閉状態信号を前記演算周期以上、且つ、前記記録手段に印字記録する印字記録周期以下に遅延させ、
前記開閉指令信号及び前記開閉状態信号を入力された順に記録させるようにしたことを特徴とする中央監視装置の監視記録方法。
【発明の詳細な説明】
【技術分野】
【０００１】
本発明は、受配電設備などの監視を行う中央監視装置に係り、特に、受配電設備の遮断器の開閉動作の動作状態の履歴を記録する中央監視装置、及びその監視記録方法に関する。
【背景技術】
【０００２】
電力系統を構成する発電機、変圧器、送電線などの設備に発生する短絡や地絡事故を検出し、事故発生部分を高速度で分離する、多数の遮断器と保護リレーで構成される受配電設備の系統全体を監視する中央監視装置がある。
【０００３】
図４は、このような受配電設備１の遮断器の開閉動作の動作状態の履歴を監視する中央監視装置２の構成図である。
【０００４】
受配電設備１の遮断器の設備の構成には、大別して２種類のタイプがある。その一つは、母線１ａと母線１ａから分岐される分岐線１ｂの事故から系統を保護する補助接点ＲＹＣＢ１を備える遮断器ＣＢ１と、この分岐線１ｂの短絡や地絡による過電流を検出するための計器用変流器ＣＴと、及びその過電流で作動する保護リレーＲＹＣＴとからなる。
【０００５】
他の一つは、自家発電等の発電機Ｇの母線１ｃから送電される系統を保護する補助接点ＲＹＣＢ２を備える遮断器ＣＢ２と、発電機Ｇの出力を検出する計器用変圧器ＰＴと、この発電機Ｇの出力が正常値であることを判定して、遮断器ＣＢ２の開閉を指令する保護リレーＲＹＰＴとからなる。
【０００６】
このような２種類タイプの遮断器の設備の構成は、受配電設備１の図示しない送電系統毎に多数あり、これらが保護リレーシステムを構成して、各々の遮断器の開閉指令信号とその開閉状態信号が中央監視装置２で印字記録され監視されている。
【０００７】
一方、このような多数の遮断器の開閉状態を監視する中央監視装置２の構成は、保護リレーＲＹＣＴの開閉指令信号ｓ１と、開閉指令信号ｓ１による遮断器ＣＢ１の遮断状態をモニターする補助接点ＲＹＣＢ１の開閉状態信号ｓ２と、保護リレーＲＹＰＴの開閉指令信号ｓ３と、開閉指令信号ｓ３による遮断器ＣＢ２の遮断状態をモニターする補助接点ＲＹＣＢ２の開閉状態信号ｓ４との２種類のタイプの遮断器の設備の動作状態を取り込む入力部３１と、この入力部２１からのこれらの信号を入力して受配電設備１を監視する演算処理部２２とからなる。
【０００８】
さらに、受配電設備１の夫々の遮断器ＣＢ１、遮断器ＣＢ２の開閉状態の動作履歴を記憶する記憶部２３、開閉状態の動作履歴をＣＲＴなどに表示する表示部２４、開閉状態の動作履歴を記録するプリンターなどの記録部２５、及びこの演算処理部２２に指令を入力するキーボード２６とからなる。
【０００９】
このように構成された受配電設備１等においては、系統毎の遮断器の開閉によるサージノイズによって保護リレーＲＹＣＴ、保護リレーＲＹＰＴが誤動作する恐れがあるため、保護リレーＲＹＣＴ、保護リレーＲＹＰＴの開閉指令信号を判定する期間を、系統事故発生直後の入力電気量の所定期間、例えば、入力波の１波分無視するようにしている保護継電器が開示されている（例えば、特許文献１参照。）。
【００１０】
また、このような受配電設備には、自家発電機を並列運転させることが容易な保護装置を備えたものが開示されている（例えば、特許文献２参照。）。
【００１１】
このような受配電設備１の中央監視装置２においては、保護リレーＲＹＣＴの開閉指令信号ｓ１と、この開閉指令信号ｓ１で作動する遮断器ＣＢ１の遮断動作状態の履歴を記憶部２３に記憶し、記録部２５で印字記録して動作状態を監視している。
【００１２】
しかしながら、演算処理部２２の演算周期以下の短い時間以内で瞬時に行われる遮断器ＣＢ１の遮断動作は、遮断器ＣＢ１の開閉指令信号ｓ１と、開閉状態信号ｓ２の印字記録の順番が逆になる問題があった。
【００１３】
図５にその詳細動作を示す。例えば、図５（ａ）に示すように、保護リレーＲＹＣＴの開閉指令信号ｓ１と、この出力で作動する遮断器ＣＢ１の開閉状態信号ｓ２は、通常、過電流保護を目的とすることから、例えば、４０ｍｓｅｃ以下の遅れ時間ＴＣＢ１Ｄで瞬時に開状態とる。
【００１４】
したがって、演算処理部２２の演算周期ＴＣは１００ｍｓｅｃ内に開閉指令信号ｓ１と開閉状態信号ｓ２が発生するため、動作順序が識別できないために、開閉指令信号ｓ１が開閉状態信号ｓ２よりも後に動作したように、逆転して印字記録される場合がある。
【００１５】
そのため、中央監視装置２の監視員に違和感を与えたり、事故解析などの場合において誤った判断をしたりする恐れがあった。
【００１６】
一方、図５（ｂ）に示すように、計器用変圧器ＰＴで検出した信号で作動する遮断器ＣＢ２の場合、通常、発電機Ｇが安定出力となる保護リレーＲＹＰＴの開閉指令信号ｓ３から数秒程度の遅れ時間ＴＯ後に、遮断器ＣＢ２の開閉状態信号ｓ４が発生する。
【００１７】
したがって、保護リレーＲＹＰＴの開閉指令信号ｓ３と、遮断器ＣＢ２の開閉状態信号ｓ４の開閉動作状態の印字記録は、動作時間間隔が演算周期Ｔｃ時間以上となるため、演算処理部２２でこれらの発生順序が誤認識されことが無く、遮断器ＣＢ２の開閉指令信号ｓ３と開閉状態信号ｓ４との動作順序は、常に正しく記録される。
【特許文献１】特開平９−２６１８３９号公報（第１頁、図１）
【特許文献２】特開平５−３０８７２０号公報（第１頁、図１）
【発明の開示】
【発明が解決しようとする課題】
【００１８】
受配電設備１等の中央監視装置２においては、遮断器の開閉動作状態の履歴、その他装置の異常や運転員の操作等の記録機能を備え、受配電設備１の動作状態を常時監視している。
【００１９】
しかしながら、上述したように遮断器ＣＢ１の開閉動作の場合、開閉指令信号ｓ１と開閉状態信号ｓ２とが、同じ演算周期Ｔｃ時間内に発生する場合、遮断器の動作順序が逆転して印字記録される問題がある。
【００２０】
本発明は、上記問題点を解決するためになされたもので、演算周期より短い時間で発生する遮断器の開閉指令信号とその開閉状態信号の動作順を、正しく印字記録させるようにした中央監視装置、及びその監視記録方法を提供することを目的とする。
【課題を解決するための手段】
【００２１】
上記目的を達成するために、本発明に係る請求項１の中央監視装置は、受配電設備を監視する中央監視装置であって、前記受配電設備の遮断器の開閉指令信号及びその開閉指令信号によって開閉される前記遮断器の開閉状態信号を入力する入力手段と、前記入力手段に入力された前記開閉指令信号及び前記開閉状態信号を処理する演算処理手段と、前記演算処理手段で処理された前記開閉指令信号及び前記開閉状態信号を記憶する記憶手段と、前記記憶手段に記憶された前記開閉指令信号及び前記開閉状態信号を前記入力手段に入力された順に印字記録させる記録手段とを備え、前記入力手段には、前記開閉指令信号と前記開閉状態信号との時間間隔が、前記演算処理手段の演算周期より短い時間内に発生する場合、前記開閉指令信号に対して前記開閉状態信号を前記演算周期以上、且つ、前記記録手段に印字する印字記録周期以下に遅延させる遅延手段を備えたことを特徴とする。
【００２２】
上記目的を達成するために、本発明に係る請求項２の中央監視装置の監視記録方法は、受配電設備の遮断器の開閉指令信号及びその開閉状態信号を監視する中央監視装置における監視記録の方法であって、前記開閉指令信号と前記開閉状態信号との時間間隔が、前記中央監視装置の演算周期より短い時間内に発生する場合、前記開閉指令信号に対して前記開閉状態信号を前記演算周期以上、且つ、前記記録手段に印字記録する印字記録周期以下に遅延させ、前記開閉指令信号及び前記開閉状態信号を入力された順に記録させるようにしたことを特徴とする。
【発明の効果】
【００２３】
本発明によれば、遮断器の開閉指令信号と開閉状態信号との時間間隔が、中央監視装置の演算制御手段の演算周期より短い、同じ周期内に同時に発生する場合、この開閉指令信号に対して開閉状態信号を演算周期以上、且つ、記録手段に印字記録する印字記録周期以下に遅延させる遅延手段を備えたので、遮断器の時系列の開閉動作信号を、発生順に正しく印字記録することが可能となる。
【００２４】
したがって、中央監視装置の監視員が、遮断器の開閉動作の印字記録から動作順序を誤って認識したり、監視員に違和感を与えたりする恐れのない中央監視装置を提供することができる。
【発明を実施するための最良の形態】
【００２５】
以下、本発明による実施例について図１及び図２を参照して説明する。
【実施例】
【００２６】
図１は、本は発明による受配電設備１を監視する中央監視装置２の構成図を示す。この実施例の各部について、図４の各部と同一部分は同一符号で示し、その説明を省略する。
【００２７】
図１が、図４と異なる点は、図４に示す入力部２１に替えて、遮断器ＣＢ１の開閉状態信号を遅延する遅延回路２１ａ１を設けた入力部２１ａとした点にある。即ち、遮断器ＣＢ１の補助リレーＲＹＣＢ１からの信号を演算処理部２２の演算周期Ｔｃ以上、且つ、印字記録の周期以下の範囲で遅延させるようにした構成とした。
【００２８】
図２は、この開閉動作の様子をタイムチャートにしたものである。Ｔｃは、この演算処理部２２の演算周期Ｔｃで、通常、中央監視装置１等においては、受配電設備１の入力信号の検出周期の要求頻度から、予め１００ｍｓｅｃ程度に設定されている。
【００２９】
また、図示しない印字記録の周期は、監視要求頻度から、通常、演算処理部２２において数秒程度の時間に予め設定される。
【００３０】
そして、保護リレーＲＹＣＴの開閉指令信号ｓ１の開指令が時刻ｔ１で発生し、時刻ｔ１のＴＣＢ後に遮断器ＣＢ１が時刻ｔ２でトリップし、その遮断器ＣＢ１の開閉動作状態が、補助リレーＲＹＣＢ１によって開閉状態信号ｓ２として遅延回路２１ａ１に入力される。
【００３１】
遅延回路２１ａ１では、時刻ｔ２より演算周期Ｔｃ以上、且つ、印字記録周期以下の範囲で遅延させた遅延時間ＴＴＤのオフディレイ信号ｓ１２を生成し、このオフディレイ信号ｓ１２が演算処理部２２に入力される。
【００３２】
したがって、開閉指令信号ｓ１の発生時刻ｔ１と、遮断器ＣＢ１のオフディレイ信号ｓ１２の発生時刻ｔ３とは、演算周期Ｔｃ以上離れて発生している信号であるため、演算処理部２２では、開閉指令信号ｓ１と遮断器ＣＢの開閉状態信号ｓ２とは、別々の発生時刻で認識され、記録部２５では、開閉指令信号ｓ１及び開閉状態信号ｓ２の動作状態が時系列に正しく印字記録される。
【００３３】
図３は、この印字記録の例を示す。まず、時刻２３時１１分１１秒に過電流検出発生し、その設備番号がＣＴであると記録され、さらに、時刻２３時１１分１１秒に遮断器のトリップが発生し、その設備番号がＣＢ１であると記録され、その動作順序が時系列に正しく印字記録されたことを示す。
【００３４】
このように、本実施例によれば、過電流保護等の保護リレーからの遮断指令信号のみを中央監視装置２の入力部２１ａにおいて遅延させることで、遮断動作の印字記録が正しく行える中央監視装置２を提供できる。
【００３５】
また、既存の受配電設備１や中央監視装置２の場合においては、遅延回路２１ａ１を備えた入力部２１ａとすることで、中央監視装置２のプログラムの変更を伴うことなく、最小限の変更で容易に行える。
【００３６】
本発明は、上述した実施例に何ら限定されるものではなく、遅延回路２１ａ１の構成は、演算周期Ｔｃ以上で、且つ、予め設定される印字記録周期以下の範囲で最適な遅延時間が設定されれば良く、遅延すべき遮断器の開閉状態信号を選択的に接続し、且つ、その回路構成は、遅延時間要素を電子回路や、遅延素子等の遅延手段から選択しても良く、本発明の主旨を逸脱しない範囲で種々変形して実施することができる。
【図面の簡単な説明】
【００３７】
【図１】本発明による中央監視装置の構成図。
【図２】本発明による中央監視装置の作動を説明するタイムチャート。
【図３】本発明の中央監視装置の動作履歴の記録例。
【図４】従来の中央監視装置の構成図。
【図５】従来の中央監視装置の作動を説明するタイムチャート。
【符号の説明】
【００３８】
１  受配電設備
１ａ、１ｃ  母線
１ｂ  分岐線
Ｇ  発電機
ＣＢ１、ＣＢ２  遮断器
ＣＴ  計器用変流器
ＰＴ  計器用変圧器
ＲＹＣＢ１、ＲＹＣＢ２  補助リレー
ＲＹＣＴ、ＲＹＰＴ保護リレー
２  中央監視装置
２１ａ、２１  入力部
２１ａ１  遅延回路
２２  演算処理部
２３  記憶部
２４  表示部
２５  記録部
２６  キーボード
【図１】
2006271030.tif 000003
【図２】
2006271030.tif 000004
【図３】
2006271030.tif 000005
【図４】
2006271030.tif 000006
【図５】
2006271030.tif 000007